【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】  複数の画像記録装置により記録された画像およびそれに付加された付加情報を取り込んで再生することが可能な画像再生手段と、
前記再生された画像のそれぞれを表示するための表示手段と、
前記複数の画像記録装置からそれぞれ取り込んで再生された付加情報に基づき前記複数の画像記録装置により記録されたそれぞれの画像間の関連性の有無を検出する検出手段と、
前記検出された関連性がある画像を視聴者に認識させるための関連画像表示画面を前記表示手段に表示するように制御する制御手段と
を備えることを特徴とする画像表示システム。
【請求項２】  複数の画像記録装置により記録された画像およびそれに付加された付加情報を取り込んで再生し、該再生された画像のそれぞれを表示手段に表示することが可能な画像再生装置であって、
前記複数の画像記録装置からそれぞれ取り込んで再生された付加情報に基づき前記複数の画像記録装置により記録されたそれぞれの画像間の関連性の有無を検出する検出手段と、
前記検出された関連性がある画像を視聴者に認識させるための関連画像表示画面を前記表示手段に表示するように制御する制御手段と
を備えることを特徴とする画像再生装置。
【請求項３】  前記複数の画像記録装置は、少なくとも１つの静止画記録装置と少なくとも１つの動画記録装置とを含むことを特徴とする請求項２記載の画像再生装置。
【請求項４】  前記静止画記録装置はデジタルカメラであり、前記動画記録装置はビデオカメラであることを特徴とする請求項３記載の画像再生装置。
【請求項５】  テレビジョン受像機に組み込まれていることを特徴とする請求項２記載の画像再生装置。
【請求項６】  前記関連画面は、前記複数の画像記録装置によりそれぞれ記録された画像の内、前記関連性がある画像をそれぞれ関連付けて表示する画面であることを特徴とする請求項２記載の画像再生装置。
【請求項７】  前記付加情報は、前記画像が記録された年月日時情報を含み、前記検出手段は、前記年月日時情報に基づき前記複数の画像記録装置により記録されたそれぞれの画像内、それの年月日時情報の時間差が所定範囲内にある画像を前記関連性がある画像として検出することを特徴とする請求項２記載の画像再生装置。
【請求項８】  前記動画記録装置は、連続して撮影した動画像の記録開始と終了の年月日時を表す年月日時情報を前記付加情報として付加して記録し、前記静止画記録装置は、静止画像を撮影した年月日時を表す年月日時情報を前記付加情報として付加して記録し、前記検出手段は、前記静止画記録装置により記録された静止画像の内、前記動画記録装置の年月日時情報が表す期間内に含まれる年月日時情報が付加された静止画像を、該動画記録装置の年月日時情報が表す期間内に記録された動画像と関連性がある画像として検出することを特徴とする請求項３記載の画像再生装置。
【請求項９】  前記関連画像表示画面は、前記動画記録装置の年月日時情報が表す期間と、前記静止画記録装置により前記動画記録装置の年月日時情報が表す期間内に撮影された静止画像のサムネイル画像とを関連付けて表示する画面であることを特徴とする請求項２又は８記載の画像再生装置。
【請求項１０】  前記複数の画像記録装置を接続することが可能な接続手段と、前記接続手段に前記複数の画像記録装置が接続された場合に、前記関連画像表示画面の表示を選択可能とする選択手段とを備えることを特徴とする請求項２記載の画像再生装置。
【請求項１１】  前記接続手段に前記複数の画像記録装置の中の１つが接続された際に、前記１つの画像記録装置により記録された画像を再生することを特徴とする請求項１０記載の画像再生装置。
【請求項１２】  前記選択手段は、前記接続手段に前記複数の画像記録装置が接続された際に、前記複数の画像記録装置の中の１つの画像記録装置を選択し、該選択された１つの画像記録装置により記録された画像を再生する処理を選択することが可能であることを特徴とする請求項１０記載の画像再生装置。
【請求項１３】  前記複数の画像記録装置は、静止画像を可搬記録媒体に記録する少なくとも１つの静止画記録装置と、動画像を記録媒体に記録し、該記録媒体に記録された動画像を再生する少なくとも１つの動画記録再生装置とを含み、前記接続手段は、前記少なくとも１つの静止画記録装置の可搬記録媒体に記録された画像を読出し可能に該可搬記録媒体を装着する装着手段と、前記少なくとも１つの動画記録再生装置の記録媒体から再生された画像を取り込むことが可能なように該動画記録再生装置を接続する動画記録再生装置接続手段とを含むことを特徴とする請求項１０記載の画像再生装置。
【請求項１４】  前記動画記録再生装置接続手段を介して前記動画記録再生装置の再生機能を制御することが可能であることを特徴とする請求項１３記載の画像再生装置。
【請求項１５】  複数の画像記録装置により記録された画像およびそれに付加された付加情報を取り込んで再生し、該再生された画像のそれぞれを表示手段に表示するための画像表示方法であって、
前記複数の画像記録装置からそれぞれ取り込んで再生された付加情報に基づき前記複数の画像記録装置により記録されたそれぞれの画像間の関連性の有無を検出する工程と、
前記検出された関連性がある画像を視聴者に認識させるための関連画像表示画面を前記表示手段に表示するように制御する工程と
を有することを特徴とする画像表示方法。
【請求項１６】  複数の画像記録装置により記録された画像およびそれに付加された付加情報を取り込んで再生し、該再生された画像のそれぞれを表示手段に表示する画像表示システムを構築するためのプログラムを格納したコンピュータ読取り可能な記憶媒体であって、
前記プログラムは、
前記複数の画像記録装置からそれぞれ取り込んで再生された付加情報に基づき前記複数の画像記録装置により記録されたそれぞれの画像間の関連性の有無を検出する検出モジュールと、
前記検出された関連性がある画像を視聴者に認識させるための関連画像表示画面を前記表示手段に表示するように制御する制御モジュールと
を有することを特徴とする記憶媒体。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
請求項２記載の発明は、複数の画像記録装置により記録された画像およびそれに付加された付加情報を取り込んで再生し、該再生された画像のそれぞれを表示手段に表示することが可能な画像再生装置であって、前記複数の画像記録装置からそれぞれ取り込んで再生された付加情報に基づき前記複数の画像記録装置により記録されたそれぞれの画像間の関連性の有無を検出する検出手段と、前記検出された関連性がある画像を視聴者に認識させるための関連画像表示画面を前記表示手段に表示するように制御する制御手段とを備えることを特徴とする。
【手続補正１５】
【補正対象書類名】明細書
【補正対象項目名】００２４
【補正方法】変更
【補正の内容】
【００２４】
請求項３記載の発明は、前記複数の画像記録装置は、少なくとも１つの静止画記録装置と少なくとも１つの動画記録装置とを含むことを特徴とする。
【手続補正１６】
【補正対象書類名】明細書
【補正対象項目名】００２５
【補正方法】変更
【補正の内容】
【００２５】
請求項４記載の発明は、前記静止画記録装置はデジタルカメラであり、前記動画記録装置はビデオカメラであることを特徴とする。
【手続補正１７】
【補正対象書類名】明細書
【補正対象項目名】００２６
【補正方法】変更
【補正の内容】
【００２６】
請求項５記載の発明は、テレビジョン受像機に組み込まれていることを特徴とする。
【手続補正１８】
【補正対象書類名】明細書
【補正対象項目名】００２７
【補正方法】変更
【補正の内容】
【００２７】
請求項６記載の発明は、前記関連画面は、前記複数の画像記録装置によりそれぞれ記録された画像の内、前記関連性がある画像をそれぞれ関連付けて表示する画面であることを特徴とする。
【手続補正１９】
【補正対象書類名】明細書
【補正対象項目名】００２８
【補正方法】変更
【補正の内容】
【００２８】
請求項７記載の発明は、前記付加情報は、前記画像が記録された年月日時情報を含み、前記検出手段は、前記年月日時情報に基づき前記複数の画像記録装置により記録されたそれぞれの画像内、それの年月日時情報の時間差が所定範囲内にある画像を前記関連性がある画像として検出することを特徴とする。
【手続補正２０】
【補正対象書類名】明細書
【補正対象項目名】００２９
【補正方法】変更
【補正の内容】
【００２９】
請求項８記載の発明は、前記動画記録装置は、連続して撮影した動画像の記録開始と終了の年月日時を表す年月日時情報を前記付加情報として付加して記録し、前記静止画記録装置は、静止画像を撮影した年月日時を表す年月日時情報を前記付加情報として付加して記録し、前記検出手段は、前記静止画記録装置により記録された静止画像の内、前記動画記録装置の年月日時情報が表す期間内に含まれる年月日時情報が付加された静止画像を、該動画記録装置の年月日時情報が表す期間内に記録された動画像と関連性がある画像として検出することを特徴とする。
【手続補正２１】
【補正対象書類名】明細書
【補正対象項目名】００３０
【補正方法】変更
【補正の内容】
【００３０】
請求項９記載の発明は、前記関連画像表示画面は、前記動画記録装置の年月日時情報が表す期間と、前記静止画記録装置により前記動画記録装置の年月日時情報が表す期間内に撮影された静止画像のサムネイル画像とを関連付けて表示する画面であることを特徴とする。
【手続補正２２】
【補正対象書類名】明細書
【補正対象項目名】００３１
【補正方法】変更
【補正の内容】
【００３１】
請求項１０記載の発明は、前記複数の画像記録装置を接続することが可能な接続手段と、前記接続手段に前記複数の画像記録装置が接続された場合に、前記関連画像表示画面の表示を選択可能とする選択手段とを備えることを特徴とする。
【手続補正２３】
【補正対象書類名】明細書
【補正対象項目名】００３２
【補正方法】変更
【補正の内容】
【００３２】
請求項１１記載の発明は、前記接続手段に前記複数の画像記録装置の中の１つが接続された際に、前記１つの画像記録装置により記録された画像を再生することを特徴とする。
【手続補正２４】
【補正対象書類名】明細書
【補正対象項目名】００３３
【補正方法】変更
【補正の内容】
【００３３】
請求項１２記載の発明は、前記選択手段は、前記接続手段に前記複数の画像記録装置が接続された際に、前記複数の画像記録装置の中の１つの画像記録装置を選択し、該選択された１つの画像記録装置により記録された画像を再生する処理を選択することが可能であることを特徴とする。
【手続補正２５】
【補正対象書類名】明細書
【補正対象項目名】００３４
【補正方法】変更
【補正の内容】
【００３４】
請求項１３記載の発明は、前記複数の画像記録装置は、静止画像を可搬記録媒体に記録する少なくとも１つの静止画記録装置と、動画像を記録媒体に記録し、該記録媒体に記録された動画像を再生する少なくとも１つの動画記録再生装置とを含み、前記接続手段は、前記少なくとも１つの静止画記録装置の可搬記録媒体に記録された画像を読出し可能に該可搬記録媒体を装着する装着手段と、前記少なくとも１つの動画記録再生装置の記録媒体から再生された画像を取り込むことが可能なように該動画記録再生装置を接続する動画記録再生装置接続手段とを含むことを特徴とする。
【手続補正２６】
【補正対象書類名】明細書
【補正対象項目名】００３５
【補正方法】変更
【補正の内容】
【００３５】
請求項１４記載の発明は、前記動画記録再生装置接続手段を介して前記動画記録再生装置の再生機能を制御することが可能であることを特徴とする。
【手続補正２７】
【補正対象書類名】明細書
【補正対象項目名】００３６
【補正方法】変更
【補正の内容】
【００３６】
請求項１５記載の発明は、複数の画像記録装置により記録された画像およびそれに付加された付加情報を取り込んで再生し、該再生された画像のそれぞれを表示手段に表示するための画像表示方法であって、前記複数の画像記録装置からそれぞれ取り込んで再生された付加情報に基づき前記複数の画像記録装置により記録されたそれぞれの画像間の関連性の有無を検出する工程と、前記検出された関連性がある画像を視聴者に認識させるための関連画像表示画面を前記表示手段に表示するように制御する工程とを有することを特徴とする。
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】削除
【補正の内容】
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】変更
【補正の内容】
【００４８】
請求項１６の発明は、複数の画像記録装置により記録された画像およびそれに付加された付加情報を取り込んで再生し、該再生された画像のそれぞれを表示手段に表示する画像表示システムを構築するためのプログラムを格納したコンピュータ読取り可能な記憶媒体であって、前記プログラムは、前記複数の画像記録装置からそれぞれ取り込んで再生された付加情報に基づき前記複数の画像記録装置により記録されたそれぞれの画像間の関連性の有無を検出する検出モジュールと、前記検出された関連性がある画像を視聴者に認識させるための関連画像表示画面を前記表示手段に表示するように制御する制御モジュールとを有することを特徴とする。
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】削除
【補正の内容】
【手続補正４２】
【補正対象書類名】明細書
【補正対象項目名】００５１
【補正方法】削除
【補正の内容】
【手続補正４３】
【補正対象書類名】明細書
【補正対象項目名】００５２
【補正方法】削除
【補正の内容】
【手続補正４４】
【補正対象書類名】明細書
【補正対象項目名】００５３
【補正方法】削除
【補正の内容】
【手続補正４５】
【補正対象書類名】明細書
【補正対象項目名】００５４
【補正方法】削除
【補正の内容】
【手続補正４６】
【補正対象書類名】明細書
【補正対象項目名】００５５
【補正方法】削除
【補正の内容】
【手続補正４７】
【補正対象書類名】明細書
【補正対象項目名】００５６
【補正方法】削除
【補正の内容】
【手続補正４８】
【補正対象書類名】明細書
【補正対象項目名】００５７
【補正方法】削除
【補正の内容】
【手続補正４９】
【補正対象書類名】明細書
【補正対象項目名】００５８
【補正方法】削除
【補正の内容】
【手続補正５０】
【補正対象書類名】明細書
【補正対象項目名】００５９
【補正方法】削除
【補正の内容】